(57)【特許請求の範囲】
【請求項１】
間仕切りパネルと上レールと下レールとを備え、間仕切りパネルは、戸先側の上部と下部に回転中心軸を有し、上レールは、間仕切りパネルの上端部を案内するパネル上端ガイド溝を有し、パネル上端ガイド溝は、側壁に間仕切りパネルの見付幅寸法以上の幅寸法の切除部を有し、下レールは、間仕切りパネルの下端部を摺接させて案内するパネル下端ガイド溝と、パネル下端ガイド溝の底部の見込み方向略中央部を掘り下げて設けた回転中心軸ガイド溝と、パネル下端ガイド溝の底部に設けた溝深さ調整部とを有し、溝深さ調整部は、戸先側に向かうにつれてパネル下端ガイド溝の溝深さを漸次小さくする傾斜部分と、傾斜部分の戸先側に設けた水平部分とを有し、間仕切りパネルが溝深さ調整部の水平部分に載ったときに間仕切りパネルの下端部がパネル下端ガイド溝の上方に位置すると共に、間仕切りパネルの上端部が切除部に位置して間仕切りパネルが回転中心軸回りに回動自在になることを特徴とする間仕切り。
【請求項２】
溝深さ調整部は、下レールと別体で形成した溝深さ調整部材をパネル下端ガイド溝の底部に設置することにより設けてあることを特徴とする請求項１記載の間仕切り。
【請求項３】
間仕切りパネルが上下のレールに沿って複数設けてあることを特徴とする請求項１又は２記載の間仕切り。
【請求項４】
回転中心軸は間仕切りパネルから突出する方向に付勢してあり、上レールと下レールは、間仕切りパネルが回動自在となったときに回転中心軸と嵌合する嵌合部を有することを特徴とする請求項１，２又は３記載の間仕切り。
【発明の詳細な説明】
【技術分野】
【０００１】
本発明は、間仕切りパネルをレールに沿って移動できるとともに、間仕切りパネルをレールと直交するように回動して収納することのできる間仕切りに関する。
【背景技術】
【０００２】
特許文献１には、間仕切りパネルを上レールに走行具を介して走行自在に吊下げ、上レールの長手方向の端部の位置で間仕切りパネルを上レールと略直行するように開き回動自在に構成した間仕切りが記載されている。走行具は、間仕切りパネル上部の左右２箇所に設けてあり、壁側の走行具の下方に縦軸が昇降自在に設けてあり、間仕切りパネルは壁側の走行具と縦軸を支点として開き回動する。上レールには、間仕切りパネルを開き回動するときに、支点と反対側の走行具を脱出させる切り欠きが形成してある。この間仕切りは、間仕切りパネルを開き回動させる際に、縦軸を下降操作して床面に設けた受孔に落とし込む必要があり、その作業が煩わしいものであった。また、複数の間仕切りパネルを重ねた状態で収納するには、特許文献１の図４に示すように、上レールから分岐して格納レールを別途設ける必要があった。
【０００３】
特許文献２には、引き込み戸を開き戸としても使えるようにした建築物の出入り口装置が記載されている。この出入り口装置は、障子の戸尻側の上部と下部に突起軸を設けてあり、障子を案内する上枠と下枠には突起軸用の溝がそれぞれ設けてある。障子を閉めると、下部突起軸が下枠の溝の端部に設けた凹状受け部に乗り上がって嵌まり込み、それに伴って障子の下面が敷居から浮き上がり、上部突起軸は上枠の溝の端部に設けた受け部に突き当たり、障子が上下突起軸を支点に開き回動自在となる。この出入り口装置では、上枠と下枠の戸袋側にだけ突起軸用の溝を加工すると共に、それぞれの溝の端部に突起軸を受ける凹状受け部と受け部とを形成しなければならないので、上枠と下枠の製作に手間がかかる。またこの出入り口装置は、障子が一枚の場合にしか対応しておらず、複数枚の障子を摺動及び回動自在にできるものではない。
【特許文献１】特開平５−３３５５８号公報
【特許文献２】実開平２−７９７９２号公報
【発明の開示】
【発明が解決しようとする課題】
【０００４】
本発明は以上に述べた実情に鑑み、間仕切りパネルを簡単に回動して収納でき、間仕切りパネルを複数設ける場合にも容易に対応でき、且つレールの製作が容易な間仕切りの提供を目的とする。
【課題を解決するための手段】
【０００５】
上記の課題を達成するために請求項１記載の発明による間仕切りは、間仕切りパネルと上レールと下レールとを備え、間仕切りパネルは、戸先側の上部と下部に回転中心軸を有し、上レールは、間仕切りパネルの上端部を案内するパネル上端ガイド溝を有し、パネル上端ガイド溝は、側壁に間仕切りパネルの見付幅寸法以上の幅寸法の切除部を有し、下レールは、間仕切りパネルの下端部を摺接させて案内するパネル下端ガイド溝と、パネル下端ガイド溝の底部の見込み方向略中央部を掘り下げて設けた回転中心軸ガイド溝と、パネル下端ガイド溝の底部に設けた溝深さ調整部とを有し、溝深さ調整部は、戸先側に向かうにつれてパネル下端ガイド溝の溝深さを漸次小さくする傾斜部分と、傾斜部分の戸先側に設けた水平部分とを有し、間仕切りパネルが溝深さ調整部の水平部分に載ったときに間仕切りパネルの下端部がパネル下端ガイド溝の上方に位置すると共に、間仕切りパネルの上端部が切除部に位置して間仕切りパネルが回転中心軸回りに回動自在になることを特徴とする。
【０００７】
請求項２記載の発明による間仕切りは、請求項１記載の発明の構成に加え、溝深さ調整部は、下レールと別体で形成した溝深さ調整部材をパネル下端ガイド溝の底部に設置することにより設けてあることを特徴とする。
【０００８】
請求項３記載の発明による間仕切りは、請求項１又は２記載の発明の構成に加え、間仕切りパネルが上下のレールに沿って複数設けてあることを特徴とする。
【０００９】
請求項４記載の発明による間仕切りは、請求項１，２又は３記載の発明の構成に加え、回転中心軸は間仕切りパネルから突出する方向に付勢してあり、上レールと下レールは、間仕切りパネルが回動自在となったときに回転中心軸と嵌合する嵌合部を有することを特徴とする。
【発明の効果】
【００１０】
請求項１記載の発明による間仕切りは、間仕切りパネルが溝深さ調整部の傾斜部分の戸先側に設けた水平部分に載ったときに、間仕切りパネルの下端部がパネル下端ガイド溝の上方に位置するとともに、間仕切りパネルの上端部が上レールの切除部に位置するので、戸先側の上部と下部に設けた回転中心軸を支点として間仕切りパネルを容易に回動することができる。上レールは、パネル上端ガイド溝の側壁を一部切除して切除部を形成することで容易に製作できる。
間仕切りパネルが溝深さ調整部の水平部分に載ることで、間仕切りパネルが傾かず、安定して回動できる。
【００１２】
請求項２記載の発明による間仕切りは、下レールにパネル下端ガイド溝と回転中心軸ガイド溝を全長にわたって一定の深さで形成した上で、別体で形成した溝深さ調整部材をパネル下端ガイド溝の底部に設置すればよいため、下レールの製作が容易になる。また、間仕切りパネルの大きさや枚数等に応じて溝深さ調整部の長さを変更したり、溝深さ調整部の高さを変更したりといったことが、溝深さ調整部材を変更するだけで簡単に行える。
【００１３】
請求項３記載の発明による間仕切りは、間仕切りパネルが上下のレールに沿って複数設けてあるので、複数の間仕切りパネルにより空間を仕切ることができ、また複数の間仕切りパネルを溝深さ調整部上に順次移動して回動させることで、複数の間仕切りパネルを壁に沿わせて重ねて収納できる。
【００１４】
請求項４記載の発明による間仕切りは、回転中心軸が間仕切りパネルから突出する方向に付勢してあり、上レールと下レールは、間仕切りパネルが回動自在となったときに回転中心軸と嵌合する嵌合部を有しているので、間仕切りパネルを溝深さ調整部上に移動したときに回転中心軸の先端部が上下レールの嵌合部に嵌合し、回転中心軸がぶれずに間仕切りパネルをより一層安定して回動させることができ、また間仕切りパネルがレールと平行な状態のときも、回転中心軸がレールの嵌合部に嵌合していることで間仕切りパネルの傾きやスライドが規制されるので、間仕切りパネルを安定して設置しておける。
【発明を実施するための最良の形態】
【００１５】
以下、本発明の実施の形態を図面に基づいて説明する。図１は本発明の間仕切りの構成を示す正面図であり、図２（ａ）は図１のＡ−Ａ断面図、図２（ｂ）は図１のＢ−Ｂ断面図である。本間仕切りは、間仕切りパネル１と上レール２と下レール３とを備え、間仕切りパネル１は上下レール２，３に沿って移動できると共に、上下レール２，３の右側の端部の位置で上下方向の回転中心軸４ａ，４ｂを支点として回動させ、壁１１に沿うように収納できるようにしている。
【００１６】
間仕切りパネル１は、図１，２に示すように、上框１２と下框１３と左右の竪框１４，１４を四周枠組みし、その内周側にパネル保持枠１５を取付け、パネル保持枠１５の内側にパネル１６を嵌め込んで構成してある。間仕切りパネル１は、右側が戸先側となっており、戸先側の上部と下部に、丸棒状の回転中心軸４ａ，４ｂが上方と下方にそれぞれ突出して設けてある。上側の回転中心軸４ａは、図２に示すように、上框１２にネジ１７で固定してあり、下側の回転中心軸４ｂは、下框１３に上下動可能に挿通してあり、上端部に設けた鍔状の係止部１８を下框１３の横壁１９の上面に係止している。下側の回転中心軸４ｂの下端部は、球面状に形成してある。左右の竪框１４には引き手２０を設けてある。
【００１７】
上レール２は、図２に示すように、コ字形断面の外側レール２ａと、その底部に配置した同じくコ字形断面の内側レール２ｂとを有し、外側レール２ａで間仕切りパネル１の上端部を案内するパネル上端ガイド溝５を構成し、内側レール２ｂで回転中心軸ガイド溝２１を構成している。回転中心軸４ａの上端面と回転中心軸ガイド溝２１の底面との間には、間仕切りパネル１が上方に移動できるように、クリアランス２５を有している。外側レール２ａと内側レール２ｂは、天井面２２にネジ２３で共締めしている。外側レール２ａの右側端部には、図１と図２（ｂ）に示すように、間仕切りパネル１の見付幅寸法Ｗ以上の幅寸法で両側の側壁５ａを切除した切除部６を設けてある。外側レール２ａと内側レール２ｂは、アルミ押出形材を使用している。
【００１８】
下レール３は、図２（ａ）に示すように、上面に間仕切りパネル１の下端部を案内するパネル下端ガイド溝７が長手方向の全長に亘って一定の深さで形成してある。さらに、パネル下端ガイド溝７の底部には、回転中心軸ガイド溝８が長手方向の全長に亘って一定の深さで形成してある。下レール３の右側端部のパネル下端ガイド溝７の底部には、図１と図２（ｂ）に示すように、溝深さ調整部材９が取付けてある。溝深さ調整部材９は、戸先側（右側）に向かうにつれてパネル下端ガイド溝７の溝深さを漸次小さく傾斜部分９ａと、傾斜部分９ａの右側に連続し且つ間仕切りパネル１の見付幅寸法Ｗと略同一の長さで設けた水平部分９ｂとを有している。パネル下端ガイド溝７の溝深さＤは約２ｍｍとなっており、溝深さ調整部材９の水平部分９ｂの高さＨは約３ｍｍとなっており、したがって水平部分９ｂは下レール３のパネル下端ガイド溝７の側壁の上縁より約１ｍｍ高くなっている。下レール３は、パネル下端ガイド溝７の側壁の上縁が床面２４と同じ高さになるように、床面２４に埋め込んで設置してある。下レール３は、アルミ押出形材を使用している。
【００１９】
本間仕切りは以上のように構成され、間仕切りパネル１は、溝深さ調整部材９よりも左側の位置では、図２（ａ）に示すように、上端部と下端部が上レール２のパネル上端ガイド溝５と下レール３のパネル下端ガイド溝７にそれぞれ案内されて、引き戸のように摺動できる。間仕切りパネル１を右方向に摺動すると、パネル下端部が溝深さ調整部材９の傾斜部分９ａに乗り上げながら上方に僅かに移動する。間仕切りパネル１をレール２，３の右端まで移動すると、図２（ｂ）に示すように、パネル下端部が溝深さ調整部材９の水平部分９ｂに載り、且つパネル上端部が上レール２の切除部６に位置するので、そのまま上下の回転中心軸４ａ，４ｂを支点に回動でき、右側の壁１１に沿うように収納することができる。
【００２０】
図３，４は本間仕切りの使用状態を示しており、図３（ａ）に示すように、上下レール２，３間に４枚の間仕切りパネル１を設け、これらの間仕切りパネル１により室内を完全に仕切っている。右端の間仕切りパネル１は、下端部が溝深さ調整部材９の水平部分９ｂに載っており、且つ上端部が上レール２の切除部６に位置しているので、図３（ｂ）と図４（ｂ）に示すように、上下の回転中心軸４ａ，４ｂを支点に９０°回動し、右側の壁１１に沿うように収納できる。他の間仕切りパネル１も、上下レール２，３の右端の位置まで順次摺動し回動させることで、図３（ｃ）と図４（ｃ）に示すように、重ねて収納できる。このように本間仕切りは、複数の間仕切りパネル１で部屋を完全に仕切ることができるとともに、不要なときには壁１１に沿わせて重ねて収納することができ、間仕切りパネル１の設置・収納操作が簡易且つ迅速に行える。
【００２１】
間仕切りパネル１は、下側の回転中心軸４ｂが上方に移動可能となっているため、上下レール２，３の長手方向の任意の位置で、通常の引き戸と同じように上下レール２，３間にけんどん式に建て込むことができる。上レール２は、外側レール２ａ（パネル上端ガイド溝５）の側壁５ａを一部切除して切除部６を形成し、外側レール２ａの底部に内側レール２ｂを配置して天井面２２にネジ止めするだけでよいので、上レール２の製作と取付けが容易に行える。下レール３も、パネル下端ガイド溝７と回転中心軸ガイド溝８とが全長に形成された押出形材に、溝深さ調整部材９をそのパネル下端ガイド溝７の底部に取付けるだけで簡単に製作でき、また床面２４に形成した溝内に設置するだけで簡単に下レール３の取付けが行える。また、溝深さ調整部材９を下レール３と別体で形成したことで、間仕切りパネル１の大きさや枚数等に応じて水平部分９ｂの長さや高さ等を変更したい場合でも、溝深さ調整部材９を交換することで簡単に行える。溝深さ調整部材９の傾斜部分９ａの傾斜は、図１では誇張して記載してあるが、実際には非常に緩やかな傾斜となっており、間仕切りパネル１が傾斜部分９ａに乗り上げたときでも、摺動が重くなったり、傾いたりといったことはほとんどない。また溝深さ調整部材９は、その全長にわたって傾斜部分９ａが形成され、水平部分９ｂを有しないものであってもよい。傾斜部分９ａは、実際には非常に緩やかな傾斜になるため、間仕切りパネル１が傾斜部分９ａ上に位置しても間仕切りパネル１はほとんど傾かず、また回転中心軸４ａ，４ｂが上下のレールの回転中心軸ガイド溝２１，８にそれぞれ係合していることで、間仕切りパネル１を安定して回動できる。
【００２２】
図５，６は、本発明の間仕切りの他の実施形態を示している。間仕切りパネル１の戸先側に設けられる上下の回転中心軸４ａ，４ｂは、圧縮バネ２６によりそれぞれ間仕切りパネル１から突出する方向に付勢してある。間仕切りパネル１は、上下レール２，３間に複数設けてある。
上レール２は、図６（ａ）に示すように、パネル上端ガイド溝５と回転中心軸ガイド溝２１が一体成形されており、図５に示すように、戸先側の端部位置の回転中心軸ガイド溝２１の底部には、回転中心軸４ａの先端部が嵌合する凹み２７ａが設けてある。凹み２７ａは、間仕切りパネル１の厚みより若干広い間隔をあけて、間仕切りパネル１の数だけ設けてある。また上レール２は、図６に示すように、天井面２２に埋め込む形で設置してある。
下レール３は、パネル下端ガイド溝７と回転中心軸ガイド溝８と溝深さ調整部２８を一体成形し、床面２４に埋め込む形で設置してある。溝深さ調整部２８は、図５に示すように、パネル下端ガイド溝７の底部から連続して右上がりに傾斜して設けた傾斜部分９ａと、傾斜部分９ａの戸先側に形成した水平部分９ｂとを有している。回転中心軸ガイド溝８の底部には、上レール２と同じように、回転中心軸４ｂの先端部が嵌合する凹み２７ｂが、レール長手方向に間隔をおいて間仕切りパネル１の数分だけ設けてある。
【００２３】
本間仕切りは、間仕切りパネル１を戸先側に移動させると、図６（ｂ）に示すように、上下の回転中心軸４ａ，４ｂの先端部が上レール２と下レール３に形成した凹み２７ａ，２７ｂに嵌合し、回転中心軸４ａ，４ｂが凹み２７ａ，２７ｂに保持されることで、間仕切りパネル１をより一層安定して回動できる。また間仕切りパネル１がレール２，３と平行な状態（回動させる前の状態）のときも、回転中心軸４ａ，４ｂがレールの凹み２７ａ，２７ｂに嵌合していることで間仕切りパネル１の傾きやスライドが規制されるので、間仕切りパネル１を安定して設置しておける。さらに本間仕切りは、上レール２を天井面２２に埋め込んだことで、よりすっきりした外観となる。
【００２４】
本発明は、以上に述べた実施形態に限定されない。上レール２は、上側の回転中心軸４ａに間仕切りパネル１の厚みと略同じ外径のローラーを取付けることで、パネル上端ガイド溝５と回転中心軸ガイド溝２１とを兼用することもできる。上レール２と下レール３の回転中心軸ガイド溝２１，８は、必ずしも上レール２と下レール３の全長に亘って設けてある必要は無く、間仕切りパネル１が回動する範囲（上レール２に切除部６が設けてある範囲）にのみ回転中心軸ガイド溝２１，８を設けることもできる。溝深さ調整部材の水平部分９ｂは、間仕切りパネル１が水平部分９ｂに位置したときに、間仕切りパネル１の下端面をパネル下端ガイド溝７の上方で水平に安定して支持できるように形成してあればよく、間仕切りパネルの見付け幅寸法Ｗよりも長くても短くてもよく、例えば間仕切りパネルの見付け幅寸法Ｗの半分程度の長さとすることもできる。上レール２の左右両端部に切除部６を設け、下レール３の左右両端部に溝深さ調整部材９を設けることで、複数の間仕切りパネル１を何枚かずつ左右に振り分けて収納自在とすることもできる。間仕切りパネル１の枚数は、１枚だけであってもよい。上レールと下レールに設けられる回転中心軸の嵌合部は、上レール及び下レールと別体で形成した軸受け具を、上レールと下レールの底部に設置することにより形成することもできる。
【図面の簡単な説明】
【００２５】
【図１】本発明の間仕切りの構成を示す正面図である。
【図２】（ａ）は図１のＡ−Ａ断面図であり、（ｂ）は図１のＢ−Ｂ断面図である。
【図３】本発明の間仕切りの使用状態を示す正面図であって、（ａ）は室内を４枚の間仕切りパネルで完全に仕切った状態、（ｂ）は右端の間仕切りパネルのみを収納した状態、（ｃ）は全ての間仕切りパネルを重ねて収納した状態を示している。
【図４】（ａ）は図３のＡ−Ａ断面図であり、（ｂ）は図３のＢ−Ｂ断面図であり、（ｃ）は図３のＣ−Ｃ断面図である。
【図５】本発明の間仕切りの他の実施形態を示す正面側から見た縦断面図である。
【図６】（ａ）は図５のＡ−Ａ断面図であり、（ｂ）は図５のＢ−Ｂ断面図である。
【符号の説明】
【００２６】
１  間仕切りパネル
２  上レール
３  下レール
４ａ，４ｂ  回転中心軸
５  パネル上端ガイド溝
５ａ  パネル上端ガイド溝の側壁
６  切除部
７  パネル下端ガイド溝
８  回転中心軸ガイド溝
９  溝深さ調整部材（溝深さ調整部）
９ａ  傾斜部分
９ｂ  水平部分
２７ａ，２７ｂ  凹み（回転中心軸の嵌合部）
２８  溝深さ調整部
【図１】
0005090254.tif 000002
【図２】
0005090254.tif 000003
【図３】
0005090254.tif 000004
【図４】
0005090254.tif 000005
【図５】
0005090254.tif 000006
【図６】
0005090254.tif 000007